【手続補正書】
【提出日】平成25年8月19日(2013.8.19)
【手続補正１】
【補正対象書類名】明細書
【補正対象項目名】０００７
【補正方法】変更
【補正の内容】
【０００７】
上述した課題を解決するために、本発明の指示体検出装置は、情報を表示するための表示領域を備えた表示装置の表示領域に対向配置され、指示体が指示する位置を検出するための位置検出センサを有し、位置検出センサから得られる信号に基づいて指示体が指示する位置を検出する指示体検出装置であって、位置検出センサは、表示領域に対応する領域が透光性を有する基材と、基材の一面側に第１の方向に配設された複数の導体および第１の方向に対して交差する第２の方向に配設された複数の導体とを備え、位置検出センサの第１の方向に配設された複数の導体のそれぞれは、第２の方向に配設された複数の導体と交差する位置に形成された間隙によって分離された複数の導体片と、第２の方向に配置された複数の導体と交差する位置で第２の方向に配設された複数の導体との絶縁性を確保しつつ前記間隙を挟んで隣接配置された２つの導体片を連結するための複数の導体よりも抵抗値の低い第１の導電材とからなり、位置検出センサの表示領域に対応した領域以外の領域に、第１の導電材と同じ材料からなる第２の導電材が基材の一面側に配設された複数の導体の一端部に配設される。
【手続補正２】
【補正対象書類名】明細書
【補正対象項目名】０００９
【補正方法】変更
【補正の内容】
【０００９】
また、上述した位置検出センサに配設された第２の導電材は、基材の一面側に配設された複数の導体のうち、少なくとも送信信号が伝送される導体の一端部に配設されることが望ましい。送信信号が供給される導体だけでなく、受信信号が伝送される導体についても、同様にその一端部に導電材を配設することにより、さらに信号の伝送特性を向上させることができる。
【手続補正３】
【補正対象書類名】明細書
【補正対象項目名】００１０
【補正方法】変更
【補正の内容】
【００１０】
また、上述した位置検出センサに配設された第２の導電材は、導体に重ねて配設されることが望ましい。これにより、導体とその一端部に配設される導電材の電気的な接続を、特別な工程を追加することなく容易に行うことが可能となる。
【手続補正４】
【補正対象書類名】明細書
【補正対象項目名】００１１
【補正方法】変更
【補正の内容】
【００１１】
また、上述した位置検出センサに配設された第２の導電材は、第１の導電材のうち、表示領域に対応した領域以外の領域で導体が交差する位置において第２の方向に配置された複数の導体との絶縁性を確保しつつ間隙を挟んで隣接配置された２つ導体片を連結する第１の導電材と一体形成されることが望ましい。これにより、導体片間を接続する第１の導電材を延長して、導体の一端部に配設される第２の導電材を形成することができるため、製造工程の簡略化が可能となる。
また、上述した位置検出センサは、表示領域に対応した領域以外の領域に、導体を連結するための第１の導電材と同じ材料からなる第２の導電材が、基板の一面側に配設された複数の導体のうち、少なくとも送信信号が伝送される導体の一端部に配設されることが望ましい。
また、上述した位置検出センサに配設された導体の一端部であって表示領域に対応した領域以外の領域に設けられる第２の導電材は、導体に重ねて配設されることが望ましい。
【手続補正５】
【補正対象書類名】明細書
【補正対象項目名】００１２
【補正方法】変更
【補正の内容】
【００１２】
本発明の位置検出センサは、情報を表示するための表示領域を備えた表示装置の前記表示領域に対向配置され、指示体が指示する位置を検出するための位置検出センサであって、少なくとも所定の領域が透光性を有する基材と、基材の一面側に第１の方向に配設された複数の導体および第１の方向に対して交差する第２の方向に配設された複数の導体とを備え、第１の方向に配設された複数の導体のそれぞれは、第２の方向に配設された複数の導体と交差する位置に形成された間隙によって分離された複数の導体片と、第２の方向に配置された複数の導体と交差する位置で第２の方向に配設された複数の導体との絶縁性を確保しつつ間隙を挟んで隣接配置された２つの導体片を連結するための複数の導体よりも抵抗値の低い第１の導電材とからなり、基材の所定の領域以外の領域に、導体を連結するための第１の導電材と同じ材料からなる第２の導電材が基材の一面側に配設された導体の一端部に配設される。
【手続補正６】
【補正対象書類名】明細書
【補正対象項目名】００１４
【補正方法】変更
【補正の内容】
【００１４】
また、本発明の位置検出センサの製造方法は、情報を表示するための表示領域を備えた表示装置に対向配置され指示体が指示する位置を検出する指示体検出装置に用いられる位置検出センサの製造方法であって、少なくとも所定の領域が透光性を有する基材の一面側に、第１の方向に配設された透光性を有する複数の導体と第１の方向に対し交差する第２の方向に配設された透光性を有する複数の導体とを形成するとともに、第１の方向に配設された複数の導体と第２の方向に配設された複数の導体とが交差する位置において、一の方向に配設された一の導体を、他の方向に配設された一の導体と電気的に分離された複数の導体片に形成する工程と、第１の方向に配設された複数の導体と第２の方向に配設された複数の導体とが交差する位置に絶縁体を配設する工程と、第１の方向に配設された複数の導体と第２の方向に配設された複数の導体とが交差する位置に、分離されて形成された複数の導体片同士を連結するための第１の導電材を絶縁体に重ねて配設するとともに、一の方向に配設された導体の一端部に第１の導電材と同じ材料からなる第２の導電材を配設する工程とを有する。
【手続補正７】
【補正対象書類名】特許請求の範囲
【補正対象項目名】全文
【補正方法】変更
【補正の内容】
【特許請求の範囲】
【請求項１】
情報を表示するための表示領域を備えた表示装置の前記表示領域に対向配置され、指示体が指示する位置を検出するための位置検出センサを有し、前記位置検出センサから得られる信号に基づいて前記指示体が指示する位置を検出する指示体検出装置であって、
前記位置検出センサは、前記表示領域に対応する領域が透光性を有する基材と、前記基材の一面側に第１の方向に配設された複数の導体および前記第１の方向に対して交差する第２の方向に配設された複数の導体と、
を備え、
前記位置検出センサの前記第１の方向に配設された複数の導体のそれぞれは、前記第２の方向に配設された複数の導体と交差する位置に形成された間隙によって分離された複数の導体片と、前記第２の方向に配置された複数の導体と交差する位置で前記第２の方向に配設された複数の導体との絶縁性を確保しつつ前記間隙を挟んで隣接配置された２つの前記導体片を連結するための前記複数の導体よりも抵抗値の低い第１の導電材とからなり、
前記位置検出センサの前記表示領域に対応した領域以外の領域に、前記第１の導電材と同じ材料からなる第２の導電材が前記基材の一面側に配設された複数の導体の一端部に配設される、
ことを特徴とする指示体検出装置。
【請求項２】
請求項１において、
前記位置検出センサに配設された前記第２の導電材は、前記基材の一面側に配設された複数の導体のうち、少なくとも送信信号が伝送される導体の一端部に配設される、
ことを特徴とする指示体検出装置。
【請求項３】
請求項２において、
前記位置検出センサに配設された前記第２の導電材は、前記導体に重ねて配設される、
ことを特徴とする指示体検出装置。
【請求項４】
請求項１において、
前記位置検出センサに配設された前記第２の導電材は、前記第１の導電材のうち、前記表示領域に対応した領域以外の領域で前記導体が交差する位置において前記第２の方向に配置された複数の導体との絶縁性を確保しつつ前記間隙を挟んで隣接配置された２つの導体片を連結する前記第１の導電材と一体形成される、
ことを特徴とする指示体検出装置。
【請求項５】
請求項４において、
前記位置検出センサは、前記表示領域に対応した領域以外の領域に、前記導体を連結するための前記第１の導電材と同じ材料からなる前記第２の導電材が、前記基板の一面側に配設された複数の導体のうち、少なくとも送信信号が伝送される導体の一端部に配設される、
ことを特徴とする指示体検出装置。
【請求項６】
請求項５において、
前記位置検出センサに配設された前記導体の一端部であって前記表示領域に対応した領域以外の領域に設けられる前記第２の導電材は、前記導体に重ねて配設される、
ことを特徴とする指示体検出装置。
【請求項７】
情報を表示するための表示領域を備えた表示装置の前記表示領域に対向配置され、指示体が指示する位置を検出するための位置検出センサであって、
少なくとも所定の領域が透光性を有する基材と、
前記基材の一面側に第１の方向に配設された複数の導体および前記第１の方向に対して交差する第２の方向に配設された複数の導体と、
を備え、前記第１の方向に配設された複数の導体のそれぞれは、前記第２の方向に配設された複数の導体と交差する位置に形成された間隙によって分離された複数の導体片と、前記第２の方向に配置された複数の導体と交差する位置で前記第２の方向に配設された複数の導体との絶縁性を確保しつつ前記間隙を挟んで隣接配置された２つの導体片を連結するための前記複数の導体よりも抵抗値の低い第１の導電材とからなり、前記基材の前記所定の領域以外の領域に、前記導体を連結するための前記第１の導電材と同じ材料からなる第２の導電材が前記基材の一面側に配設された導体の一端部に配設される、
ことを特徴とする位置検出センサ。
【請求項８】
情報を表示するための表示領域を備えた表示装置に対向配置され指示体が指示する位置を検出する指示体検出装置に用いられる位置検出センサの製造方法であって、
少なくとも所定の領域が透光性を有する基材の一面側に、第１の方向に配設された透光性を有する複数の導体と前記第１の方向に対し交差する第２の方向に配設された透光性を有する複数の導体とを形成するとともに、前記第１の方向に配設された複数の導体と前記第２の方向に配設された複数の導体とが交差する位置において、一の方向に配設された一の導体を、他の方向に配設された一の導体と電気的に分離された複数の導体片に形成する工程と、
前記第１の方向に配設された複数の導体と前記第２の方向に配設された複数の導体とが交差する位置に絶縁体を配設する工程と、
前記第１の方向に配設された複数の導体と前記第２の方向に配設された複数の導体とが交差する位置に、分離されて形成された前記複数の導体片同士を連結するための第１の導電材を前記絶縁体に重ねて配設するとともに、前記一の方向に配設された導体の一端部に前記第１の導電材と同じ材料からなる第２の導電材を配設する工程と、
を有することを特徴とする位置検出センサの製造方法。